(57)【要約】【課題】  操作性を低下させることなく、操作筐体に対し表示筐体をスライドさせる際の誤操作によって意図しない入力が行われるのを抑制することができる携帯情報端末を提供する。【解決手段】  操作キー２２が設けられた操作筐体２０と、タッチパネル１１が設けられた表示筐体１０と、操作筐体２０に対し表示筐体１０をスライド可能に連結する連結部と、オープン状態、中立状態及びクローズ状態のうち、いずれの端末状態であるのかを検出する端末状態検出部１０６と、タッチパネル１１に対する操作開始及び操作終了を検出するタッチ操作検出部１０２と、タッチパネル操作に応じた操作信号を操作終了時に生成する操作入力部１０５により構成される。操作入力部１０５は、操作開始時における端末状態と操作終了時における端末状態との比較結果に基づいて、タッチパネル１１に対する操作に応じた操作信号を生成する。【選択図】  図４
2013175840.tif 000002
【特許請求の範囲】
【請求項１】
操作キーが設けられた操作筐体と、タッチパネルが設けられた表示筐体と、上記操作筐体に対し上記表示筐体をスライド可能に連結する連結手段とを備え、上記表示筐体をスライドさせることにより、中立状態を経由して、上記操作キーが露出するオープン状態と、上記操作キーが上記表示筐体で覆われるクローズ状態との間を遷移する携帯情報端末において、
上記オープン状態、上記中立状態及び上記クローズ状態のうち、いずれの端末状態であるのかを検出する端末状態検出手段と、
上記タッチパネルに対する操作開始及び操作終了を検出するタッチ操作検出手段と、
タッチパネル操作に応じた操作信号を操作終了時に生成する操作入力手段とを備え、
上記操作入力手段は、上記操作開始時及び上記操作終了時における端末状態の比較結果に基づいて、上記タッチパネルに対する操作に応じた操作信号を生成することを特徴とする携帯情報端末。
【請求項２】
上記操作入力手段は、操作開始時及び操作終了時における端末状態が一致しなければ、上記タッチパネルに対する操作を無効化することを特徴とする請求項１に記載の携帯情報端末。
【請求項３】
上記操作入力手段は、操作開始時の端末状態が上記オープン状態及び上記クローズ状態のいずれかであり、かつ、操作終了時点における端末状態が操作開始時の端末状態と一致している場合に、上記タッチパネルに対する操作に応じた操作信号を生成することを特徴とする請求項１又は２に記載の携帯情報端末。
【請求項４】
上記操作入力手段は、上記操作開始時の端末状態が上記中立状態であれば、上記タッチパネルに対する操作を無効化することを特徴とする請求項１〜３のいずれかに記載の携帯情報端末。
【請求項５】
２以上のメニューアイコンからなるメニュー画面を表示するメニュー画面表示手段と、
上記操作開始時の操作位置に基づいて、上記メニュー画面上の上記メニューアイコンを選択するメニューアイコン選択手段と、
上記メニューアイコンごとの入力情報を保持するメニュー割当記憶手段とを備え、
上記操作入力手段は、選択された上記メニューアイコンに対応する上記入力情報を読み出して上記操作信号を生成することを特徴とする請求項１〜４のいずれかに記載の携帯情報端末。
【発明の詳細な説明】
【技術分野】
【０００１】
本発明は、携帯情報端末に係り、さらに詳しくは、操作キーが設けられた操作筐体とタッチパネルが設けられた表示筐体とがスライド可能に連結された携帯情報端末の改良に関する。
【背景技術】
【０００２】
複数のメニューアイコンからなるメニュー画面を表示し、メニューアイコンに対するタッチ操作を検出するタッチパネルを備え、タッチ操作が行われたメニューアイコンを選択したり、選択中のメニューアイコンに割り当てられた機能を実行する端末装置がある。通常、タッチ操作は、ダウンイベントと呼ばれる操作開始と、アップイベントと呼ばれる操作終了とからなる。メニューアイコンは、操作開始の検出結果に基づいて選択され、操作終了の検出結果に基づいて、選択中のメニューアイコンに応じた機能が実行される。つまり、所望のメニューアイコンに対し、指を近づけて離すといった一連の操作を行うことにより、当該メニューアイコンに応じた機能を実行することができる。
【０００３】
しかしながら、この様な入力方法では、操作キーが設けられた操作筐体に対し、タッチパネルが設けられた表示筐体をスライドさせて操作キーを露出させるスライド方式の携帯端末の場合、表示筐体をスライドさせる際に、タッチパネルに指が触れ、ユーザの意図しない機能が実行されてしまうという問題があった。そこで、操作キーが露出するオープン状態と、操作キーが表示筐体により覆われるクローズ状態との間の状態遷移を検知し、タッチ操作の操作開始後に状態遷移が検知された場合に、当該タッチ操作を無効化する携帯情報端末が提案されている（例えば、特許文献１）。
【０００４】
特許文献１に記載の携帯情報端末によれば、操作筐体及び表示筐体をオープン状態へ展開させ、或いは、両筐体をクローズ状態へ収納させる際の誤操作によって意図しない機能が実行されるのを抑制することができる。しかし、この様な従来の携帯情報端末では、オープン状態及びクローズ状態間の状態遷移が検知されれば、タッチ操作が無効化されるので、タッチ操作時の誤操作によって端末状態が変化した場合であっても、タッチ操作が無効化されてしまうという課題があった。例えば、タッチ操作の操作開始直後に、表示筐体を誤ってスライドさせた場合、当該タッチ操作がキャンセルされることから、所望の機能を実行させるには、再度、タッチ操作を行わなければならず、操作性が良くなかった。
【先行技術文献】
【特許文献】
【０００５】
【特許文献１】特開２０１０−１０３８７９号公報
【発明の概要】
【発明が解決しようとする課題】
【０００６】
本発明は、上記事情に鑑みてなされたものであり、操作性を低下させることなく、操作筐体に対し表示筐体をスライドさせる際の誤操作によって意図しない入力が行われるのを抑制することができる携帯情報端末を提供することを目的とする。
【課題を解決するための手段】
【０００７】
第１の本発明による携帯情報端末は、操作キーが設けられた操作筐体と、タッチパネルが設けられた表示筐体と、上記操作筐体に対し上記表示筐体をスライド可能に連結する連結手段とを備え、上記表示筐体をスライドさせることにより、中立状態を経由して、上記操作キーが露出するオープン状態と、上記操作キーが上記表示筐体で覆われるクローズ状態との間を遷移する携帯情報端末であって、上記オープン状態、上記中立状態及び上記クローズ状態のうち、いずれの端末状態であるのかを検出する端末状態検出手段と、上記タッチパネルに対する操作開始及び操作終了を検出するタッチ操作検出手段と、タッチパネル操作に応じた操作信号を操作終了時に生成する操作入力手段とを備え、上記操作入力手段が、上記操作開始時及び上記操作終了時における端末状態の比較結果に基づいて、上記タッチパネルに対する操作に応じた操作信号を生成するように構成される。
【０００８】
この携帯情報端末では、タッチパネルに対する操作に応じた操作信号が操作終了時に生成される。その際、操作開始時の端末状態と操作終了時の端末状態との比較結果に基づいて操作信号が生成されるので、操作開始時点における端末状態や操作終了時点における端末状態がオープン状態、中立状態又はクローズ状態のいずれであるのかに応じて操作信号を生成するか否かを決定することができる。つまり、操作筐体に対し表示筐体をスライドさせる際に、表示筐体のタッチパネルに指が触れたとしても、指がタッチパネルに触れた時点での端末状態と、指がタッチパネルから離れた時点での端末状態とに応じて操作信号を生成し、或いは、操作信号の生成を見送ることができる。このため、表示筐体をスライドさせる際の誤操作によって意図しない入力が行われるのを抑制することができる。
【０００９】
また、操作開始後にオープン状態及び中立状態間で状態遷移し、或いは、中立状態及びクローズ状態間で状態遷移したとしても、操作開始時の端末状態と操作終了時の端末状態とに応じて操作信号が生成される。このため、タッチパネル操作時の誤操作によって表示筐体がスライドした場合に当該タッチパネル操作が無効化されるのを抑制することができる。
【００１０】
第２の本発明による携帯情報端末は、上記構成に加え、上記操作入力手段が、操作開始時及び操作終了時における端末状態が一致しなければ、上記タッチパネルに対する操作を無効化するように構成される。
【００１１】
この携帯情報端末では、オープン状態、中立状態又はクローズ状態においてタッチ操作を開始し、異なる端末状態においてタッチ操作を終了すれば、当該タッチ操作が無効化される。つまり、操作終了時点における端末状態が操作開始時における端末状態と異なれば、操作終了の検出結果を無視して操作信号の生成を見送ることができる。このため、表示筐体をスライドさせる際の誤操作によって意図しない入力が行われるのを抑制することができる。
【００１２】
第３の本発明による携帯情報端末は、上記構成に加え、上記操作入力手段が、操作開始時の端末状態が上記オープン状態及び上記クローズ状態のいずれかであり、かつ、操作終了時点における端末状態が操作開始時の端末状態と一致している場合に、上記タッチパネルに対する操作に応じた操作信号を生成するように構成される。
【００１３】
この携帯情報端末では、オープン状態又はクローズ状態においてタッチ操作を開始し、同じ端末状態においてタッチ操作を終了すれば、当該タッチ操作に応じた操作信号が生成される。つまり、オープン状態又はクローズ状態においてタッチ操作を開始した後に端末状態が変化したとしても、タッチ操作を終了した時点での端末状態が操作開始時の端末状態と同じであれば、操作信号が生成される。このため、タッチパネル操作時の誤操作によって表示筐体がスライドした場合に当該タッチパネル操作が無効化されるのを抑制することができる。
【００１４】
第４の本発明による携帯情報端末は、上記構成に加え、上記操作入力手段が、上記操作開始時の端末状態が上記中立状態であれば、上記タッチパネルに対する操作を無効化するように構成される。
【００１５】
この様な構成によれば、中立状態においてタッチ操作を開始した場合に、当該タッチ操作が無視されるので、中立状態によりタッチパネル操作の不感帯を形成することができる。
【００１６】
第５の本発明による携帯情報端末は、上記構成に加え、２以上のメニューアイコンからなるメニュー画面を表示するメニュー画面表示手段と、上記操作開始時の操作位置に基づいて、上記メニュー画面上の上記メニューアイコンを選択するメニューアイコン選択手段と、上記メニューアイコンごとの入力情報を保持するメニュー割当記憶手段とを備え、上記操作入力手段が、選択された上記メニューアイコンに対応する上記入力情報を読み出して上記操作信号を生成するように構成される。
【００１７】
この携帯情報端末では、操作開始時の操作位置に基づいてメニューアイコンを選択し、選択したメニューアイコンに割り当てられた入力情報を読み出して操作信号が生成される。その際、操作開始時の端末状態と操作終了時の端末状態との比較結果に基づいて操作信号が生成されるので、操作開始時点における端末状態や操作終了時点における端末状態がオープン状態、中立状態又はクローズ状態のいずれであるのかに応じて操作信号を生成するか否かを決定することができる。
【発明の効果】
【００１８】
本発明による携帯情報端末では、操作筐体に対し表示筐体をスライドさせる際の誤操作によって意図しない入力が行われるのを抑制することができる。また、タッチパネル操作時の誤操作によって表示筐体がスライドした場合に当該タッチパネル操作が無効化されるのを抑制することができる。従って、操作性を低下させることなく、操作筐体に対し表示筐体をスライドさせる際の誤操作によって意図しない入力が行われるのを抑制することができる携帯情報端末を提供することができる。
【図面の簡単な説明】
【００１９】
【図１】本発明の実施の形態による携帯情報端末１の概略構成の一例を示した図である。
【図２】図１の携帯情報端末１における端末状態の一例を示した図である。
【図３】図２の携帯情報端末１の動作の一例を従来例１，２と比較して示した図である。
【図４】図１の携帯情報端末１の構成例を示したブロック図であり、携帯情報端末１内の機能構成の一例が示されている。
【図５】図４の携帯情報端末１のタッチ操作時の動作の一例を示したフローチャートである。
【発明を実施するための形態】
【００２０】
＜携帯情報端末１＞
図１は、本発明の実施の形態による携帯情報端末１の概略構成の一例を示した図である。図中の（ａ）には、オープン状態の携帯情報端末１を正面から見た様子が示され、（ｂ）には、携帯情報端末１を側面から見た様子が示されている。この図では、端末状態を検出するためのマグネット３１，３２及び磁気センサ３３が点線で示されている。
【００２１】
この携帯情報端末１は、薄型の表示筐体１０及び操作筐体２０と、操作筐体２０に対し表示筐体１０をスライド可能に連結する連結部（図示せず）により構成されるスライド方式の端末装置である。例えば、携帯情報端末１は、通話機能を有する携帯電話機である。
【００２２】
表示筐体１０は、その操作面１０ａ側にタッチパネル１１を備え、操作面１０ａに対するタッチ操作が検出される。タッチパネル１１は、２以上のメニューアイコン１３からなるメニュー画面１２を表示し、メニューアイコン１３に対するタッチ操作を検出する。メニューアイコン１３は、選択項目を示す操作対象アイコンであり、文字入力やアプリケーションプログラムの起動といった各種機能が割り当てられ、割当機能を示すシンボルが表示される。
【００２３】
操作筐体２０は、その操作面２０ａ側に、２以上の操作キー２２からなる操作パネル２１を備え、操作キー２２の押下操作を受け付ける。操作キー２２は、押下型の物理キーからなる。この操作パネル２１には、方向入力のための十字キー、決定キー、ガイドキー、テンキー、オンフックキー、オフフックキーなどが操作キー２２として設けられている。
【００２４】
このタッチパネル１１は、例えば、静電容量式のタッチセンサと、透過型のＬＣＤ（液晶ディスプレイ）により構成され、指と操作面１０ａとの間の静電容量に基づいて、タッチ操作の操作開始及び操作終了と、操作開始時及び操作終了時における操作面１０ａ上の操作位置が検出される。ここで、タッチ操作には、操作面１０ａに指を直接に接触させる動作だけでなく、操作面１０ａに指を近づける動作、操作面１０ａを指で擦る又は弾く動作が含まれる。また、タッチ操作の操作位置は、例えば、指と操作面１０ａとの接触領域における重心の２次元位置として検出される。
【００２５】
メニュー画面１２上のメニューアイコン１３に対し、タッチ操作を行うことにより、所望のメニューアイコン１３を選択し、或いは、当該メニューアイコン１３に割り当てられている機能を実行することができる。
【００２６】
この携帯情報端末１では、表示筐体１０及び操作筐体２０が、概ね同形状及び同サイズの縦長の直方体からなり、表示筐体１０の背面１０ｂと操作筐体２０の操作面２０ａとを対向させた状態で両筐体が連結されている。
【００２７】
上述した連結部は、表示筐体１０の背面１０ｂと操作筐体２０の操作面２０ａとを対向させたまま、操作筐体２０と表示筐体１０とを相対的かつ直線的に移動させるスライド機構からなり、オープン状態、中立状態及びクローズ状態の３つの端末状態が遷移可能である。
【００２８】
オープン状態は、操作キー２２が露出する展開状態である。クローズ状態は、操作キー２２が表示筐体１０により覆われる収納状態である。操作筐体２０を表示筐体１０の背面１０ｂ側へスライドさせれば、クローズ状態へ遷移させることができる。中立状態は、オープン状態とクローズ状態との間の状態遷移時に通過する中間状態である。すなわち、オープン状態とクローズ状態とは、操作筐体２０に対し表示筐体１０をスライドさせることにより、中立状態を経由して互いに遷移することができる。
【００２９】
この携帯情報端末１では、ばねなどの弾性部材を用いて表示筐体１０をスライド方向に付勢する付勢手段（図示せず）が上記連結部に設けられる。このため、中立状態では、操作筐体２０に対し表示筐体１０が、オープン状態における位置に近づけば自動的にオープン状態へ移行し、クローズ状態における位置に近づけば自動的にクローズ状態へ移行する。
【００３０】
磁気センサ３３は、オープン状態、中立状態及びクローズ状態のうち、いずれの端末状態であるのかを検出するための検出素子であり、マグネット３１，３２が形成する磁界を検出する。例えば、ホール効果を利用して磁気を感知するホール素子が磁気センサ３３として用いられる。この磁気センサ３３は、操作筐体２０内であって、操作筐体２０における表示筐体１０側の端部に配設されている。
【００３１】
マグネット３１，３２は、磁気センサ３３により端末状態を検出するための被検出素子である。このマグネット３１，３２は、表示筐体１０内であって、表示筐体１０の長手方向の両端部にそれぞれ配設されている。端末状態は、例えば、磁気センサ３３によって検出される磁界の大きさ及び向きに基づいて判別される。
【００３２】
＜端末状態＞
図２は、図１の携帯情報端末１における端末状態の一例を示した図である。図中の（ａ）には、オープン状態が示され、（ｂ）には、中立状態が示され、（ｃ）には、クローズ状態が示されている。オープン状態では、マグネット３１が磁気センサ３３と対向する一方、マグネット３２と磁気センサ３３との距離が最大となる。
【００３３】
これに対し、クローズ状態では、マグネット３２が磁気センサ３３と対向する位置にまで接近する一方、マグネット３１と磁気センサ３３との距離が最大となる。中立状態では、マグネット３１，３２と磁気センサ３３との距離がオープン時とクローズ時との中間程度となる。
【００３４】
磁気センサ３３は、マグネット３１，３２との相対的な位置関係に応じて変化する磁界を検出する。つまり、携帯情報端末１がオープン状態、中立状態又はクローズ状態のいずれであるのかに応じて大きく変化する磁界を磁気センサ３３により検出することにより、これらの端末状態を判別することができる。
【００３５】
図３は、図２の携帯情報端末１の動作の一例を従来例１，２と比較して示した図である。図中の（ａ）には、本発明による携帯情報端末１の場合が示され、（ｂ）には、従来例１が示され、（ｃ）には、従来例２が示されている。この図では、図２の携帯情報端末１において、操作筐体２０に対する表示筐体１０のスライド量ｘを横軸として端末状態が示されている。
【００３６】
従来例１では、オープン状態におけるスライド量ｘの上限値ｘ１２に対し、半分程度のスライド量ｘ＝ｘ１１を境界にして、クローズ状態及びオープン状態間の状態遷移が検出される。この様な構成では、クローズ状態におけるスライド量ｘの下限値０と状態遷移の検出点ｘ１１との距離が長いので、表示筐体１０をスライドさせた際に、状態遷移が検知されるよりも前にタッチパネル１１から指が離れた場合、タッチ操作は有効であることから、意図しない入力が生じてしまう。
【００３７】
従来例２では、オープン状態におけるスライド量ｘの上限値ｘ２２に対し、ｘ１１よりも短いスライド量ｘ＝ｘ２１を境界にして、クローズ状態及びオープン状態間の状態遷移が検出される。この様な構成では、クローズ状態におけるスライド量ｘの下限値０と状態遷移の検出点ｘ２１との距離が短いので、表示筐体１０をクローズ状態から僅かにスライドさせただけでタッチ操作を無効化することができる。しかし、タッチ操作の開始直後に表示筐体１０を誤ってスライドさせた場合であっても、タッチ操作が無効化されてしまう。
【００３８】
一方、本発明では、オープン状態におけるスライド量ｘの上限値ｘ３に対し、ｘ１１よりも短いスライド量ｘ＝ｘ１を境界にして、クローズ状態及び中立状態間の状態遷移が検知され、また、ｘ１１よりも長いスライド量ｘ＝ｘ２を境界にして、中立状態及びオープン状態間の状態遷移が検知される。そして、タッチ操作の操作開始時における端末状態と操作終了時における端末状態とを比較し、その比較結果に基づいて、タッチ操作に応じた入力が行われる。
【００３９】
このため、クローズ状態におけるスライド量ｘの下限値０と状態遷移の検出点ｘ１との距離が短いので、表示筐体１０をクローズ状態から僅かにスライドさせただけでタッチ操作を無効化することができる。しかも、タッチ操作の開始直後に表示筐体１０を誤ってスライドさせた場合であっても、操作終了時点での端末状態が操作開始時の端末状態と同じであれば、タッチ操作が無効化されることはない。
【００４０】
図４は、図１の携帯情報端末１の構成例を示したブロック図であり、携帯情報端末１内の機能構成の一例が示されている。この携帯情報端末１は、メニュー画面表示部１０１、タッチ操作検出部１０２、メニューアイコン選択部１０３、メニュー割当記憶部１０４、操作入力部１０５、端末状態検出部１０６及び端末状態記憶部１０７により構成される。
【００４１】
メニュー画面表示部１０１は、メニュー画面１２を表示するための画像データを生成し、タッチパネル１１へ出力する。また、メニュー画面表示部１０１は、メニュー画面１２を構成するメニューアイコン１３の配置情報をメニューアイコン選択部１０３へ出力する。
【００４２】
タッチ操作検出部１０２は、タッチパネル１１の出力に基づいて、操作面１０ａに対するタッチ操作の操作開始及び操作終了を検出し、その検出結果をメニューアイコン選択部１０３及び操作入力部１０５へ出力する。
【００４３】
端末状態検出部１０６は、磁気センサ３３の出力に基づいて、オープン状態、中立状態及びクローズ状態のうち、いずれの端末状態であるのかを検出し、その検出結果を端末状態記憶部１０７に書き込むとともに、メニューアイコン選択部１０３へ出力する。
【００４４】
メニューアイコン選択部１０３は、操作開始の検出結果に基づいて、メニュー画面１２上のメニューアイコン１３を選択する。メニューアイコン１３は、操作開始時の操作位置に基づいて、選択される。選択されたメニューアイコン１３は、非選択状態のメニューアイコン１３とは異なる表示態様で表示される。例えば、選択中のメニューアイコン１３は、フォーカス表示又はハイライト表示され、非選択アイコンとは容易に識別することができる。
【００４５】
メニュー割当記憶部１０４には、メニューアイコン１３ごとの入力情報からなるメニュー割当情報が保持される。このメニュー割当情報は、いずれのメニューアイコン１３にどのような入力情報が割り当てられているのかといった入力割当である。また、入力情報には、仮名文字などを入力するための文字情報と、ウェブブラウザなどのアプリケーションプログラムを起動させるプログラム起動機能といった各種機能を示す情報とがある。
【００４６】
操作入力部１０５は、操作終了の検出結果に基づいて、タッチパネル操作に応じた操作信号を生成する。操作信号は、タッチパネル１１に対する操作に応じた入力信号であり、操作終了時に生成される。具体的には、操作開始時における端末状態と操作終了時における端末状態とを比較し、その比較結果に基づいて、操作信号を生成する動作が行われる。
【００４７】
メニュー画面１２上のいずれかのメニューアイコン１３が選択されていれば、選択中のメニューアイコン１３に対応する入力情報をメニュー割当記憶部１０４から読み出し、入力情報に応じた操作信号が生成される。
【００４８】
この操作入力部１０５では、操作開始時の端末状態と操作終了時の端末状態とが一致しなければ、タッチパネル１１に対する操作が無効化される。すなわち、オープン状態、中立状態又はクローズ状態においてタッチ操作を開始し、異なる端末状態においてタッチ操作を終了すれば、当該タッチ操作が無効化される。このため、操作終了時点における端末状態が操作開始時における端末状態と異なれば、操作終了の検出結果を無視して操作信号の生成を見送ることができる。この様に構成することにより、表示筐体１０をスライドさせる際の誤操作によって意図しない入力が行われるのを防止することができる。
【００４９】
また、操作入力部１０５では、操作開始時の端末状態がオープン状態又はクローズ状態のいずれかであり、かつ、操作終了時点における端末状態が操作開始時の端末状態と一致している場合に、タッチパネル１１に対する操作に応じた操作信号が生成される。すなわち、オープン状態又はクローズ状態においてタッチ操作を開始し、同じ端末状態においてタッチ操作を終了すれば、当該タッチ操作に応じた操作信号が生成される。このため、オープン状態又はクローズ状態においてタッチ操作を開始した後に端末状態が変化したとしても、タッチ操作を終了した時点での端末状態が操作開始時の端末状態と同じであれば、操作信号が生成される。この様に構成することにより、タッチパネル操作時の誤操作によって表示筐体１０がスライドした場合に当該タッチパネル操作が無効化されるのを防止することができる。
【００５０】
また、メニューアイコン選択部１０３では、操作開始時の端末状態が中立状態であれば、タッチパネル１１に対する操作が無効化される。すなわち、中立状態においてタッチ操作を開始した場合に、当該タッチ操作が無視されるので、中立状態によりタッチパネル操作の不感帯を形成することができる。
【００５１】
図５のステップＳ１０１〜Ｓ１１１は、図４の携帯情報端末１のタッチ操作時の動作の一例を示したフローチャートである。まず、メニューアイコン選択部１０３は、タッチ操作検出部１０２によりタッチ操作の操作開始が検出されれば、端末状態を確認し、中立状態であれば、操作開始の検出結果を無視し、この処理を終了する（ステップＳ１０１，Ｓ１０２，Ｓ１０９）。
【００５２】
一方、メニューアイコン選択部１０３は、中立状態でなければ、操作位置を判別し、メニュー画面１２上のメニューアイコン１３を選択する（ステップＳ１０３，Ｓ１０４）。
【００５３】
次に、操作入力部１０５は、タッチ操作の操作終了が検出されれば（ステップＳ１０５）、端末状態を確認し、操作開始時の端末状態と一致していれば、選択中のメニューアイコン１３に対応する入力情報をメニュー割当記憶部１０４から読み出し、操作信号を生成する（ステップＳ１０６〜Ｓ１０８）。この操作信号により、メニューアイコン１３に予め割り当てられた機能が実行される。
【００５４】
一方、操作入力部１０５は、操作終了時点における端末状態が操作開始時の端末状態と一致していなければ、操作終了の検出結果を無視し、メニューアイコン１３の選択状態が解除される（ステップＳ１１０，Ｓ１１１）。
【００５５】
本実施の形態によれば、操作筐体２０に対し表示筐体１０をスライドさせる際に、表示筐体１０のタッチパネル１１に指が触れたとしても、指がタッチパネル１１に触れた時点での端末状態と、指がタッチパネル１１から離れた時点での端末状態とに応じて操作信号を生成し、或いは、操作信号の生成を見送ることができる。このため、表示筐体１０をスライドさせる際の誤操作によって意図しない入力が行われるのを防止することができる。
【００５６】
また、操作開始後にオープン状態及び中立状態間で状態遷移し、或いは、中立状態及びクローズ状態間で状態遷移したとしても、操作開始時の端末状態と操作終了時の端末状態とに応じて操作信号が生成される。このため、タッチパネル操作時の誤操作によって表示筐体１０がスライドした場合に当該タッチパネル操作が無効化されるのを防止することができる。
【００５７】
なお、本実施の形態では、メニューアイコン１３がタッチ操作の操作開始に基づいて選択され、操作終了に基づいて、選択中のメニューアイコン１３に割り当てられた入力情報が入力される場合の例について説明したが、本発明はタッチパネル操作時の動作をこれに限定するものではない。例えば、タッチパネル１１に対するタッチ操作をトリガーとして、動作モードを省電力モードから通常モードへ復帰させるようなものにも本発明は適用することができる。
【符号の説明】
【００５８】
１  携帯情報端末
１０  表示筐体
１０ａ  操作面
１０ｂ  背面
１１  タッチパネル
１２  メニュー画面
１３  メニューアイコン
２０  操作筐体
２０ａ  操作面
２１  操作パネル
２２  操作キー
３１，３２  マグネット
３３  磁気センサ
１０１  メニュー画面表示部
１０２  タッチ操作検出部
１０３  メニューアイコン選択部
１０４  メニュー割当記憶部
１０５  操作入力部
１０６  端末状態検出部
１０７  端末状態記憶部
【図１】
2013175840.tif 000003
【図２】
2013175840.tif 000004
【図３】
2013175840.tif 000005
【図４】
2013175840.tif 000006
【図５】
2013175840.tif 000007